(57)【要約】      （修正有）【課題】熱源損失を最小化できるようにした熱遮断体が備えられた加熱調理器を提供する。【解決手段】熱遮断体が備えられた加熱調理器が開示され、内部に熱源体が備えられる上部体２と、前記上部体２の下部に位置して肉が焼かれるか、食べ物が調理される調理板３が載せられる下部体４と、前記上部体２と下部体４とを連結する連結幹５からなる加熱調理器において、前記調理板３の一側には、前記連結幹５の前面を包摂する熱遮断体１０がさらに備えられて、前記連結幹５側に熱が伝達されることを遮断するように構成される。連結幹の前面に熱遮断体がさらに備えられることによって、熱源体の熱が連結幹側に伝達されることが遮断され、また、第１放熱体及び第２放熱体によって熱源体が調理板側に伝達されないで上部体を通してそのまま外側に放熱されることを防ぐことによって、熱損失を未然に防ぐことができる。【選択図】図１
0003188154.tif 000002
【実用新案登録請求の範囲】
【請求項１】
内部に熱源体が備えられる上部体と、前記上部体の下部に位置されて肉が焼かれるか、食べ物が調理される調理板が載せられる下部体と、前記上部体と下部体とを連結する連結幹とを含む加熱調理器において、
前記調理板の一側には、前記連結幹側に熱が伝達されることを遮断するように前記連結幹の前面を包摂する熱遮断体がさらに備えられることを特徴とする加熱調理器。
【請求項２】
前記熱遮断体は、前記調理板の一側から延びる延長片と、前記延長片から垂直に延びて前記連結幹の前面に位置する遮断板からなることを特徴とする、請求項１に記載の加熱調理器。
【請求項３】
前記上部体はその内部に熱源体の上部に位置する第１放熱体と、
前記第１放熱体の上部に位置する第２放熱体をさらに備えられることを特徴とする、請求項１に記載の加熱調理器。
【考案の詳細な説明】
【技術分野】
【０００１】
本考案は、熱遮断体が備えられた加熱調理器に関し、より詳細には加熱調理器の熱源体が備えられる上部体と調理板が備えられる下部体を連結する連結幹側に熱が伝えられることを防ぐようにするだけでなく、熱源体に第１及び第２放熱体をさらに備えて熱源体の熱が調理板側に伝達されずに上部体を通して放熱されることを防ぎ、熱源損失を最小化できるようにした熱遮断体が備えられた加熱調理器に関するものである。
【背景技術】
【０００２】
一般に、熱が伝えられるメカニズムは、伝導（Ｃｏｎｄｕｃｔｉｏｎ）と対流（Ｃｏｎｖｅｃｔｉｏｎ）及び輻射（Ｒａｄｉａｔｉｏｎ）に大別され、伝導熱は、主に固体によって伝達され、対流熱は、主に気体によって伝達される。
【０００３】
そして、輻射熱は、ある発熱体の表面から電磁波形態のエネルギーが放出される過程によって熱が伝達されるもので、媒質がない状態でも熱が光の速度で放出されて、被射体まで直接伝達される。このような輻射熱の波長範囲は、赤外線から可視光線領域を通して波長が最も短い紫外線領域にまで至り、可視光線や紫外線に比べて遠赤外線と、近、中赤外線のような赤外線波長領域帯が最も強い熱作用を持つと知られている。
【０００４】
これにより、赤外線を利用した料理用品が種々開発されてきており、このような従来の赤外線料理容器には、外部が石英管で構成された赤外線ランプと、前記赤外線ランプの上段に設置された料理容器と、前記赤外線ランプの下段に設置された反射板で構成される赤外線焼肉器がある。このような赤外線焼肉器は、赤外線ランプが料理容器を加熱して、この料理容器が肉の下部だけが煮える一方向加熱方式であって、肉が焦げないように引っくり返し続ける不便があり、熱効率も落ちる。
【０００５】
さらに、焼き網上部に適当な距離をおいて近赤外線ランプを設置して、このランプ上部には反射板を設置した肉類焼器があり、このような肉類焼器は、焼き網の上に載せられた肉に直接近赤外線を照射して肉を焼くため、肉質内部にまでまんべんなく火を通すことができる長所がある。
【０００６】
しかし、前記肉類焼器もランプから照射される近赤外線が肉の上部だけを加熱する一方向加熱方式であり、肉をひっくり返し続けなければならない不便があった。
【０００７】
しかも、このような赤外線を利用した料理容器の場合、料理容器に載せられた食品を煮るのに時間がかかる問題と共に、料理容器に載せられた食品を加熱するためには、長時間にかけて赤外線ランプを点灯させなければならないため、これによる電気料金の増加による費用負担が追加的に発生する問題がある。
【０００８】
そこで、本出願人は大韓民国特許公開１０−２０１２−００８２３７９号の反射体が備えられた料理容器を考案したことがあり、これは熱源体の周部を包摂する反射体がさらに備えられることによって、熱源体から放出される熱が上部に抜け出ることによって引き起こされる熱損失を最小化できるだけでなく、熱源体の熱が焼き板側に放出される熱放出効率性を高めて消費電力を最小化することによって、電力浪費を減らすことができ、電力費用を大きく節減させることができ、安全網体によってユーザの手が熱によって火傷を負うことを防いで安全に使えるようにしている。
【０００９】
しかし、このような従来技術は、上部体と下部体とを連結する連結幹側に上部体から照射される熱が伝達されることによって連結幹が熱くなり、熱くなり過ぎた場合、連結幹の内部に備えられる電線などに悪影響を及ぼす問題がある。
【００１０】
また、反射体だけでは、熱源体の熱損失を減らすことはできないというさらなる問題がある。
【先行技術文献】
【特許文献】
【００１１】
【特許文献１】大韓民国特許公開第１０−２０１２−００８２３７９号
【特許文献２】大韓民国特許公開第１０−２０１２−０１０７９０４号
【考案の概要】
【考案が解決しようとする課題】
【００１２】
本考案は、前記問題点を解決するためのなされたものであり、本考案の目的は、連結幹の前面を遮る熱遮断体をさらに備えることによって連結幹側に熱が伝達されることを遮断することによって、連結幹が熱くなることにより引き起こされる問題を解決して、上部体の内部に第１及び第２放熱体をさらに備えて熱損失を最小化できるようにした熱遮断体が備えられた加熱調理器を提供することにその目的がある。
【課題を解決するための手段】
【００１３】
前記目的を達成するために本考案の熱遮断体が備えられた加熱調理器は、内部に熱源体が備えられる上部体と、前記上部体の下部に位置されて肉が焼かれるか、食べ物が調理される調理板が載せられる下部体と、前記上部体と下部体とを連結する連結幹とからなる加熱調理器において、前記調理板の一側には、前記連結幹側に熱が伝達されることを遮断するように前記連結幹の前面を包摂する熱遮断体がさらに備えることを特徴とする。
【００１４】
前記熱遮断体は、前記調理板の一側から延びる延長片と、前記延長片から垂直に延びて前記連結幹の前面に位置する遮断板からなることを特徴とする。
【００１５】
前記上部体の内部には、熱源体の上部に位置する第１放熱体と、前記第１放熱体の上部に位置される第２放熱体がさらに備えることを特徴とする。
【考案の効果】
【００１６】
本考案の熱遮断体が備えられた加熱調理器によると、連結幹の前面に熱遮断体がさらに備えられることによって、熱源体の熱が連結幹側に伝達されることが遮断されるため、連結幹が熱によって熱くなることにより引き起こされる問題を解決して、第１放熱体及び第２放熱体によって熱源体から放射される熱が調理板側に伝達されないで上部体を通してそのまま外側に放熱されることを防ぐことによって熱損失を未然に防ぐことができる。
【図面の簡単な説明】
【００１７】
【図１】本考案の第１実施形態に係る熱遮断体が備えられた加熱調理器を概略的に示した斜視図である。
【図２】本考案の熱遮断体が備えられた加熱調理器の構成要部を一部切開した状態を概略的に示した図面である。
【図３】図２のＡ部分拡大図であり、本考案の第１実施形態に係る遮断体が備えられた加熱調理器の構成要部を概略的に示した断面図である。
【図４】図１において、調理板、熱遮断体、連結幹及び補強部材の設置構造を概略的に示した図面である。
【図５】第２実施形態に係る熱遮断体が備えられた加熱調理器を概略的に示した斜視図である。
【図６】第３実施形態に係る熱遮断体が備えられた加熱調理器の要部を一部切開した状態を概略的に示した図面である。
【図７】図６を左側から見た左側面図である。
【考案を実施するための形態】
【００１８】
以下、本考案の一実施形態に係る熱遮断体が備えられた加熱調理器について添付図を参照して詳細に説明する。
【００１９】
本出願で用いられた用語は、単に特定の実施形態を説明するために用いられ、本考案を限定しようとする意図はなく、改めて定義されない限り、技術的或いは科学的な用語を含んで、ここで用いられる全ての用語は、本考案が属する技術分野において通常の知識を有する者によって通常理解できるものと同じ意味を持っている。通常用いられる辞書に定義されているような用語は、関連技術の文脈上持つ意味と一致する意味を持つものと解釈されるべきで、本出願で明白に定義しない限り、理想的または過度に形式的な意味と解釈されない。
【００２０】
図１〜図４に示したように本考案の第１実施形態に係る熱遮断体が備えられた加熱調理器は、内部に熱源体１が備えられる上部体２と、前記上部体２の下部に位置されて肉が焼かれるか、食べ物が調理される調理板３が載せられる下部体４と、前記上部体２と下部体４とを連結する連結幹５からなる加熱調理器において、前記調理板３の一側には前記連結幹５側に熱が伝達されることを遮断するように前記連結幹５の前面を包摂する熱遮断体１０がさらに備えている。
【００２１】
前記熱源体１、上部体２、調理板３、下部体４、及び連結幹５は、上部体２に備えられた熱源体１の熱が、下部体４に備えられた調理板３側に伝達されることによって調理板３に載せたれた肉が焼かれたり、または食物が料理される公知技術であるため、これに対する具体的な説明は省略する。
【００２２】
図１に示された加熱調理器は、チゲや寄せ鍋等を調理する時に用いられる調理板３が載せられたものである。
【００２３】
前記のように構成された本考案は、熱遮断体１０がさらに備えられて、この熱遮断体１０が連結幹５の前面に位置し、連結幹５の前面を遮ることによって連結幹５側に熱が伝達されることが遮断される。
【００２４】
これにより、連結幹５が熱くなることが防止されるため、連結幹５の内部構成要部が伝達される熱によって損傷を受けたり、または、ユーザが上部体２の高さを調節する過程において熱くなった連結幹５によって手に火傷を負ったりすることが防止される。
【００２５】
前記熱遮断体１０は、前記調理板３の一側から延びる延長片１１と、前記延長片１１から垂直に延びて前記連結幹５に熱が伝達されることを防ぐように前記連結幹５の前面に位置する遮断板１２からなる。
【００２６】
前記熱遮断体１０の材質は、前記調理板３の材質と同じ材質からなり、前記調理板３を製造時に調理板３と一体で連結されて製造されてもよい。
【００２７】
また、前記熱遮断体１０の材質を前記調理板３の材質とは異なった材質とし、熱が連結幹５側に伝達されることを遮断できる材質で別途製造した後、調理板３とボルト及びナット、または溶接作業などによって結合して設置されてもよい。
【００２８】
また、前記熱遮断体１０の遮断板１２は、図６に示されたように、上部が傾斜するように折り曲げられてもよく、これは前記連結幹５の上部側に連結幹５の形状に沿って延びて位置するためである。
【００２９】
また、本考案では、前記上部体２の内部には、熱源体１の上部に位置する第１放熱体２０と、前記第１放熱体２０の上部に位置される第２放熱体３０がさらに備えられて構成される。
【００３０】
これにより、図３に示されたように、熱源体１の上部に各々第１放熱体２０と第２放熱体３０が備えられているため、熱源体１の熱が熱源体１の上部方向に上昇し、上部体２を通して外側に排出されることが遮断されることにより、熱源体１の熱損失を最小化することができる。
【００３１】
この時、前記第１放熱体２０または第２放熱体３０の材質は、熱源体１から伝達される熱をさらに熱源体１の下部側に集中させることができる材質であれば、多様な材質変更が可能である。
【００３２】
本考案の第２実施形態に係る熱遮断体が備えられた加熱調理器は、図５に示されたように、下部体４の上部に肉を焼く時に用いられる調理板１３が載せられたものである。
【００３３】
図５に示されたように、１０ａは、前記連結幹５の上部に締結ボルト１０ｂによって固定設置されて、調理板３、１３の使用時に放射される熱が、連結幹５を加熱することを防ぐ上部熱遮断部材である。
【００３４】
前記調理板１３の上部面には、前記調理板１３の上部面で肉が焼かれる時に発生する油を多数の油排出孔１３ａに排出し易いように形成されたことを除いては、本考案の第１実施形態に係る熱遮断体が備えられた加熱調理器と同様の構造であるため、重複した説明は省略する。
【００３５】
次に、図６を参照して、本考案の第３実施形態に係る熱遮断体が備えられた加熱調理器について説明する。本考案の第３実施形態に係る熱遮断体が備えられた加熱調理器について説明するに当たり、本考案の第１または第２実施形態に係る熱遮断体が備えられた加熱調理器と同様の構造については、重複した説明は省略する。
【００３６】
本考案の第３実施形態に係る熱遮断体が備えられた加熱調理器は、図６に示されたように、前記遮断板１４が前記連結幹５の前面に位置された状態で、連結幹５の長手方向（上部方向）に延びているため、連結幹５側への熱の伝達がさらに遮断しやすい。
【００３７】
これにより、本考案の第３実施形態に係る熱遮断体が備えられた加熱調理器の遮断板１４は、本考案の第１または第２実施形態に係る熱遮断体が備えられた加熱調理器の遮断板１２に比べて、連結幹５の長手方向（上部方向）に延びていることを除いては、本考案の第１または第２実施形態に係る熱遮断体が備えられた加熱調理器と同様の構造であるため、重複した説明は省略する。
【００３８】
図面において、未説明の符号７は、連結幹５を補強支持する補強部材である。
【００３９】
以上のように本考案は、具体的な構成要素等のような特定事項と、限定された実施形態及び図面によって説明されたが、これは本考案のより全般的な理解を助けるために提供されただけであって、本考案は、前記実施形態に限定されるものではなく、本考案が属する分野において通常の知識を有する者なら、このような記載から多様な修正及び変形が可能である。
【００４０】
従って、本考案の思想は、説明された実施形態に限定されて決まるものではない。また、後述する請求の範囲だけでなく、請求の範囲と均等或いは等価的変形のある全てのものは本考案思想の範疇に属する。
【符号の説明】
【００４１】
１    熱源体
２    上部体
３    調理板
４    下部体
５    連結幹
７    補強部材
１０    熱遮断体
１１    延長片
１２    遮断板
２０    第１放熱体
３０    第２放熱体
【図１】
0003188154.tif 000003
【図２】
0003188154.tif 000004
【図３】
0003188154.tif 000005
【図４】
0003188154.tif 000006
【図５】
0003188154.tif 000007
【図６】
0003188154.tif 000008
【図７】
0003188154.tif 000009